(57)【要約】【課題】正の気圧隔離システムを提供すること。【解決手段】気圧制御システム（１１０）であって、該システムは、システム入口と、システム出口と、ある速度で動作するように構成される可変速度ファン（１３０）とを備えている。ファンと連絡するモータコントローラは、ファンの速度を制御するように構成される。差動気圧トランスデューサ（１５０）は、システム入口における気圧およびシステム出口における気圧を監視するように構成される。閉ループ圧力コントローラは、モータコントローラおよび差動圧力トランスデューサ（１５０）と連絡し、該圧力コントローラは、システムの入口と出口との間の圧力差に基づきファン（１３０）の速度を変動させ、それによって空間内の圧力を制御するように構成される。紫外線殺菌チャンバ（１４０）は、入口と出口との間に配置され得、空気で運ばれる微粒子をＵＶ放射に曝し得る。【選択図】図５
2014138869.tif 000002
【特許請求の範囲】
【請求項１】
本願明細書に記載された発明。
【発明の詳細な説明】
【技術分野】
【０００１】
（優先権）
本国際出願は、２００６年５月２４日に出願され、名称「Ｐｏｓｉｔｉｖｅ  Ａｉｒ  Ｐｒｅｓｓｕｒｅ  Ｉｓｏｌａｔｉｏｎ  Ｓｙｓｔｅｍ」であり、譲渡された代理人整理番号３１１６／１０１であり、Ｄａｖｉｄ  Ｗ．Ｐａｌｍｅｒを発明者として指名の米国仮特許出願第６０／８０２，９７７号に対する優先権を主張し、該出願の開示は、その全体が本明細書に参考として援用される。
【０００２】
（発明の分野）
本発明は、概して正の気圧隔離システムに関する。より詳細には、本発明は、密閉空間への空気の流入またはそこからの空気の流出を管理および清浄化し、一定の正（＋）または負（−）の室内気圧を生成することに関する。
【背景技術】
【０００３】
気圧制御システムは、多くの病室および半導体クリーンルームの用途において、隔離領域および封じ込め領域を作るために用いられる。隔離技術および封じ込め技術は、空気で運ばれるミクロンサイズの粒子、ならびにウィルスなどの微生物、バクテリア、菌類、かび、胞子、およびほこりを管理する。そのような技術は、空間を清浄な空気で満たし、汚染された空気を除去することによって、加圧された部屋において生活しかつ働く人々の健康の利益を増加させる。密閉空間の加圧はさらに、汚染された空気が部屋の中に漏れるのを防ぐ。その結果、世界保健機関（ＷＨＯ）は、空気で運ばれるウィルスの蔓延を遅らせる実行可能な方法として隔離室および封じ込め室を使用することを推奨する。
【０００４】
多くの先行技術の制御システムの負の気圧設計基準は、微生物を含む空気を捕捉し、その中に含め、次いで、周囲に空気を放出して戻す前に、空気で運ばれた汚染物を無力化または撲滅する。室内から空気を出すことによって、空気が室内に漏入し、汚染物が外に出ること（ｅｓｃａｐｅ）を防ぐ。
【０００５】
既存の気圧制御システムは、結核（ＴＢ）および他の空気感染の病気の治療を専門にする病院における封じ込め室内に設置された。そのような室の数は、今日の医療要求に対して適切であるが、高病原性鳥インフルエンザ（ａｖｉａｎ  ｉｎｆｌｕｅｎｚａ）（すなわち、Ｂｉｒｄ  Ｆｌｕ）のヒト対ヒト型または類似の空気感染の病気の急激な発生に対するニーズを満たさない。都市地域において急激な発生が起った場合、封じ込め室の数は、患者の数を収容するのに適切でない。さらに、急激な発生が田舎の地域において起った場合、封じ込め室を有する病院は妥当な距離内に位置し得ない。
【発明の概要】
【発明が解決しようとする課題】
【０００６】
従って、課題は、インフルエンザの急激な発生の現場において標準の室を転換する、正および負の気圧制御システムを利用可能にする方法を見出すことである。制御システムは、容易に取り付けられ、第１の応答者を隔離しかつ保護し、また症状のある患者によって使用された汚染空気を中に含め、捕捉し、かつ撲滅するのに十分な量で利用可能でなければならない。
【課題を解決するための手段】
【０００７】
（発明の概要）
本発明の実施形態に従って、システムが、密閉空間における気圧の制御のために提供される。システムは、窓を介して取り付けられ得、システム入口およびシステム出口を含む。システムはまた、可変速度ファンと該ファンの速度を制御するモータコントローラとを含み得る。可変速度ファンは、密閉空間においてシステムが正の圧力または負の圧力を提供することを可能にするように可逆性であり得る。
【０００８】
システムは、差動気圧トランスデューサを含み得る。差動気圧トランスデューサは、システム入口およびシステム出口における気圧を監視する。一部の実施形態において、差動気圧トランスデューサは、熱線風速計または固体風速計であり得る。モータコントローラおよび差動圧力トランスデューサと連絡する閉ループコントローラは、システムの入口と出口との間の圧力差に基づきファンの速度を変動させ、それによって空間内の圧力を制御し得る。
【０００９】
さらに、気圧制御システムはまた、閉ループコントローラと連絡する制御パネルを含み得る。制御パネルは、セットポイント値を受信する能力があり得る。受信されたセットポイント値に基づき、制御パネルは、ファンの速度または方向を変化させ得る。制御パネルは、ユーザが正の室内気圧と負の室内気圧とを選択することを可能にするスイッチをさらに含み得る。
【００１０】
本発明のさらなる実施形態に従って、閉ループコントローラは、マイクロプロセッサを含み得る。マイクロプロセッサは、差動圧力トランスデューサからの出力とセットポイント値とを比較し、差動気圧トランスデューサ出力とセットポイント値との差に基づき、ファンの速度または方向を調整し得る。
【００１１】
気圧制御システムはまた、マイクロプロセッサと連絡する安全センサを含み得る。安全センサは、気圧制御システムがセットポイント値において動作していないとき、警報を発するように構成され得る。
【００１２】
さらなる実施形態に従って、気圧制御システムはまた、殺菌放射チャンバを含み得る。殺菌放射チャンバは、気圧制御システム内の気流経路内に位置し得、少なくとも１つのＵＶ光源を含み得る。殺菌放射チャンバはまた、ＵＶ光源によって生成されるＵＶ光を反射する反射内部表面をさらに含み得る。バフルは、殺菌放射チャンバの一方の端部または両方の端部に位置し、ＵＶ光が殺菌放射チャンバから出ることを防ぎ得る。殺菌放射チャンバを含む気流経路は、システム入口およびシステム出口を介したＵＶ反射を防ぐために黒くされ得る。ＵＶ光の波長は、２５３．７ナノメートルであり得るが、これに限定されない。ＵＶ光は、気流経路の部分を完全に横切って通過し得る。
【００１３】
本発明のさらなる実施形態において、気圧制御システムはフィルタを含まない。
【００１４】
一部の実施形態において、気圧制御システムは、第２の気流経路を含み得る。差動気圧トランスデューサは、第２の気流経路内に位置し得る。
【００１５】
他の実施形態に従って、フィルタを有する気圧制御システムは、囲まれた空間内の気圧を制御し得る。システムは、システム入口と、システム出口と、システム入口とシステム出口との間の気流経路内に位置する第１のフィルタとを含む。システムはまた、ある速度で動作するように構成される可変速度ファンと、ファンと連絡し、ファンの速度を制御するように構成されるモータコントローラと、システム入口における気圧およびシステム出口における気圧を監視するように構成される差動気圧トランスデューサとを有し得る。差動圧力トランスデューサは、熱線風速計または固体風速計であり得る。モータコントローラおよび差動圧力トランスデューサと連絡する閉ループコントローラは、システムの入口と出口との間の圧力差に基づきファンの速度を変動させ得る。入口と出口との間の圧力差を制御することによって、システムは空間内の圧力を制御する能力がある。
【００１６】
ファンは可逆性であり得、システムは閉ループコントローラと連絡する制御パネルを含み得る。制御パネルは、セットポイント値を受信し、セットポイント値に基づきファンの速度または方向を変化させ得る。制御パネルは、ユーザが正の室内気圧と負の室内気圧とを選択することを可能にするスイッチを含み得る。システムはまた、差動圧力トランスデューサからの出力とセットポイント値とを比較し、値の差に基づき、ファンの速度または方向を調整するマイクロプロセッサを含み得る。マイクロプロセッサと連絡する安全センサは、気圧制御システムがセットポイント値において動作していないとき、警報を発し得る。
【００１７】
一部の実施形態において、システムはまた、気流経路内に位置する殺菌放射チャンバを含み得る。殺菌放射チャンバは、少なくとも１つのＵＶ光源を含み得、ＵＶ光源によって生成されるＵＶ光を反射する反射内部表面を有し得る。殺菌放射チャンバはまた、フィルタへのアクセスを提供する少なくとも１つのスロットを有し得る。第１のフィルタは、殺菌放射チャンバの第１の端部に位置し得る。システムはまた、殺菌放射チャンバの第２の端部に位置する第２のフィルタを含み得る。
【００１８】
気流経路は、システム入口およびシステム出口を介したＵＶ反射を防ぐために黒くされ得る。さらに（または、代わりに）、システムは、殺菌放射チャンバの少なくとも一つの端部に位置するバフルを有し、ＵＶ光が殺菌放射チャンバから出ることを防ぎ得る。一部の実施形態において、ＵＶ光は、約２５３．７ナノメートルの波長を有する。
【００１９】
一部の実施形態において、気圧制御システムは、ウィンドゥスルー取付け用（ｆｏｒ  ｔｈｒｏｕｇｈ−ｗｉｎｄｏｗ  ｉｎｓｔａｌｌａｔｉｏｎ）に構成される。第１のフィルタは、半透明のグラスファイバフィルタであり得、金属フレームを有し得る。フィルタはまた、プリーツ加工され得、垂直であるように向けられ得る。ＵＶランプは、第１のフィルタのプリーツに対して横切るように向けられ得る。
【００２０】
システムはまた、殺菌放射チャンバ内に位置する気流センサをさらに含み得る。気流センサは、殺菌放射チャンバの内壁に取り付けられ得る。気流センサは、システムを通る空気の流れと共線的であるように向けられ得る。一部の実施形態において、気流センサは、固体センサであり、ＵＶ光源から遮蔽される。気流センサはまた、マイクロプロセッサが気流センサによって送信される信号に基づいてファン速度を制御し得るように、マイクロプロセッサと連絡し得る。
【００２１】
一部の実施形態において、システムは、殺菌放射チャンバ内に位置し、ＵＶ放射の量を測定するように構成されるＵＶセンサを含み得る。ＵＶセンサは、気流経路に位置し得る。さらにＵＶセンサは、マイクロプロセッサがＵＶセンサによって送信される信号に基づいてファン速度を制御し得るように、マイクロプロセッサと連絡し得る。
【００２２】
システムは、システムを通る気流を防ぐために、密閉位置および開放位置を有するカバーを含み得る。密閉位置において、カバーは、システムが使用されないときシステム入口を閉じる。カバーは、絶縁材料から作られ得る。カバーは、カバーの位置を感知しかつカバーが密閉位置にある場合システムの動作を妨げるインタロックスイッチに接続され得る。インタロックスイッチは、マイクロプロセッサに接続され得る。
本発明は、例えば、以下を提供する。
（項目１）
気圧制御システムであって、該システムは、
システム入口と、
システム出口と、
該システム入口とシステム出口との間の気流経路内に位置する第１のフィルタと、
ある速度で動作するように構成される可変速度ファンと、
該ファンと連絡し、該ファンの速度を制御するように構成される、モータコントローラと、
該システム入口と該システム出口との間の気圧差を監視するように構成される差動気圧トランスデューサと、
該モータコントローラおよび該差動圧力トランスデューサと連絡する閉ループコントローラであって、圧力コントローラは、該システムの入口と出口との間の圧力差に基づき該ファンの速度を変動させ、それによって空間内の圧力を制御するように構成される、閉ループコントローラと
を備えている、システム。
（項目２）
上記ファンは可逆性である、項目１に記載の気圧制御システム。
（項目３）
上記閉ループコントローラと連絡し、セットポイント値を受信しかつ該セットポイント値に基づき上記ファンの速度または方向を変化させるように構成される制御パネルをさらに備えている、項目１に記載の気圧制御システム。
（項目４）
上記制御パネルは、正の室内気圧と負の室内気圧とを選択するように構成されるスイッチを含む、項目３に記載の気圧制御システム。
（項目５）
上記閉ループコントローラは、
上記差動圧力トランスデューサからの出力と上記セットポイント値とを比較し、該差動気圧トランスデューサ出力と該セットポイント値との差に基づき、上記ファンの速度または方向を調整するように構成されるマイクロプロセッサを含む、項目３に記載の気圧制御システム。
（項目６）
上記マイクロプロセッサと連絡し、上記気圧制御システムが上記セットポイント値において動作していないとき、警報を発するように構成される安全センサをさらに備えている、項目５に記載の気圧制御システム。
（項目７）
上記気圧制御システムにおける上記気流経路内に位置する殺菌放射チャンバをさらに備え、該殺菌放射チャンバは、少なくとも１つのＵＶ光源を含む、項目５に記載の気圧制御システム。
（項目８）
上記殺菌放射チャンバは、上記ＵＶ光源によって生成されるＵＶ光を反射するように構成される反射内部表面をさらに含む、項目７に記載の気圧制御システム。
（項目９）
上記殺菌放射チャンバは、上記フィルタへのアクセスを提供する少なくとも１つのスロットを有する、項目７に記載の気圧制御システム。
（項目１０）
上記第１のフィルタは、上記殺菌放射チャンバの第１の端部に位置する、項目７に記載の気圧制御システム。
（項目１１）
上記システムは、上記殺菌放射チャンバの第２の端部に位置する第２のフィルタを含む、項目１０に記載の気圧制御システム。
（項目１２）
上記気流経路は、上記システム入口およびシステム出口を介したＵＶ反射を防ぐために黒くされる、項目７に記載の気圧制御システム。
（項目１３）
上記殺菌放射チャンバの少なくとも一つの端部に位置するバフルをさらに備え、該バフルは、ＵＶが該殺菌放射チャンバから出ることを防ぐように構成される、項目７に記載の気圧制御システム。
（項目１４）
上記ＵＶ光は、約２５３．７ナノメートルの波長を有する、項目７に記載の気圧制御システム。
（項目１５）
上記差動気圧トランスデューサは、熱線風速計または固体風速計である、項目１に記載の気圧制御システム。
（項目１６）
上記気圧制御システムは、ウィンドゥスルー取付け用に構成される、項目１に記載の気圧制御システム。
（項目１７）
上記第１のフィルタは、半透明のグラスファイバフィルタである、項目１に記載の気圧制御システム。
（項目１８）
上記第１のフィルタは、金属フレームを有する、項目１７に記載の気圧制御システム。
（項目１９）
上記第１のフィルタは、プリーツ加工される、項目１に記載の気圧制御システム。
（項目２０）
上記第１のフィルタは、上記プリーツが垂直の方向に向けられるように向けられる、項目１９に記載の気圧制御システム。
（項目２１）
上記ＵＶランプは、上記第１のフィルタのプリーツに対して横切るように向けられる、項目２０に記載の気圧制御システム。
（項目２２）
上記システムは、上記殺菌放射チャンバ内に位置する気流センサをさらに含む、項目７に記載の気圧制御システム。
（項目２３）
上記気流センサは、上記殺菌放射チャンバの内壁に取り付けられる、項目２２に記載の気圧制御システム。
（項目２４）
上記気流センサは、上記システムを通る空気の流れと共線的であるように向けられる、項目２２に記載の気圧制御システム。
（項目２５）
上記気流センサは、固体センサである、項目２２に記載の気圧制御システム。
（項目２６）
上記気流センサは、上記少なくとも１つのＵＶ光源から遮蔽される、項目２２に記載の気圧制御システム。
（項目２７）
上記気流センサは、上記マイクロプロセッサが該気流センサによって送信される信号に基づいて上記ファン速度を制御し得るように、該マイクロプロセッサと連絡する、項目２２に記載の気圧制御システム。
（項目２８）
上記システムは、上記殺菌放射チャンバ内に位置し、ＵＶ放射の量を測定するように構成されるＵＶセンサをさらに備えている、項目７に記載の気圧制御システム。
（項目２９）
上記ＵＶセンサは、上記気流経路に位置する、項目２８に記載の気圧制御システム。
（項目３０）
上記ＵＶセンサは、上記マイクロプロセッサが該ＵＶセンサによって送信される信号に基づいて上記ファン速度を制御し得るように、該マイクロプロセッサと連絡する、項目２８に記載の気圧制御システム。
（項目３１）
上記システムは、該システムが使用されないとき上記システム入口を閉じるように構成される密閉および開放位置を有し、それによって該システムを通る気流を防ぐカバーをさらに備えている、項目１に記載の気圧制御システム。
（項目３２）
上記カバーは、絶縁材料から作られる、項目３１に記載の気圧制御システム。
（項目３３）
上記システムは、上記カバーに接続され、該カバーの位置を感知しかつ該カバーが上記密閉位置にある場合システムの動作を妨げるように構成されるインタロックスイッチをさらに備えている、項目３１に記載の気圧制御システム。
（項目３４）
上記インタロックスイッチは、上記マイクロプロセッサに接続される、項目３３に記載の気圧制御システム。
（項目３５）
気圧制御システムであって、該システムは、
システム入口と、
システム出口と、
ある速度で動作するように構成される可変速度ファンと、
該ファンと連絡し、該ファンの速度を制御するように構成される、モータコントローラと、
該システム入口と該システム出口との間の気圧差を監視するように構成される差動気圧トランスデューサと、
該モータコントローラおよび該差動圧力トランスデューサと連絡する閉ループコントローラであって、圧力コントローラは、該システムの入口と出口との間の圧力差に基づき該ファンの速度を変動させ、それによって空間内の圧力を制御するように構成される、閉ループコントローラと
を備えている、システム。
（項目３６）
上記ファンは可逆性である、項目３５に記載の気圧制御システム。
（項目３７）
上記閉ループコントローラと連絡し、セットポイント値を受信しかつ該セットポイント値に基づき上記ファンの速度または方向を変化させるように構成される制御パネルをさらに備えている、項目３５に記載の気圧制御システム。
（項目３８）
上記制御パネルは、正の室内気圧と負の室内気圧とを選択するように構成されるスイッチを含む、項目３７に記載の気圧制御システム。
（項目３９）
上記閉ループコントローラは、
上記差動圧力トランスデューサからの出力と上記セットポイント値とを比較し、該差動気圧トランスデューサ出力と該セットポイント値との差に基づき、上記ファンの速度または方向を調整するように構成されるマイクロプロセッサを含む、項目３７に記載の気圧制御システム。
（項目４０）
上記マイクロプロセッサと連絡し、上記気圧制御システムが上記セットポイント値において動作していないとき、警報を発するように構成される安全センサをさらに備えている、項目３９に記載の気圧制御システム。
（項目４１）
上記気圧制御システムにおける上記気流経路内に位置する殺菌放射チャンバをさらに備え、該殺菌放射チャンバは、少なくとも１つのＵＶ光源を含む、項目３５に記載の気圧制御システム。
（項目４２）
上記殺菌放射チャンバは、上記ＵＶ光源によって生成されるＵＶ光を反射するように構成される反射内部表面をさらに含む、項目４１に記載の気圧制御システム。
（項目４３）
上記気流経路は、上記システム入口およびシステム出口を介したＵＶ反射を防ぐために黒くされる、項目４１に記載の気圧制御システム。
（項目４４）
上記殺菌放射チャンバの少なくとも一つの端部に位置するバフルをさらに備え、該バフルは、ＵＶが該殺菌放射チャンバから出ることを防ぐように構成される、項目４１に記載の気圧制御システム。
（項目４５）
上記ＵＶ光は、約２５３．７ナノメートルの波長を有する、項目４１に記載の気圧制御システム。
（項目４６）
上記差動気圧トランスデューサは、熱線風速計である、項目３５に記載の気圧制御システム。
（項目４７）
上記気圧制御システムは、ウィンドゥスルー取付け用に構成される、項目３５に記載の気圧制御システム。
（項目４８）
気圧制御システムであって、該システムは、
システム入口と、
システム出口と、
ある速度で動作するように構成される可変速度ファンと、
該ファンと連絡し、該ファンの速度を制御するように構成される、モータコントローラと、
該気圧制御システムにおける気流経路内に位置する殺菌放射チャンバであって、該殺菌放射チャンバは、少なくとも１つのＵＶ光源を含み、該殺菌放射チャンバは、該ＵＶ光源によって生成されるＵＶ光を反射し、その結果、ＵＶ光がフィルタを欠いている該気流経路の一部分を完全に横切って通過するように構成される反射内部表面を含む、殺菌放射チャンバと
を備えている、システム。
（項目４９）
上記ファンは可逆性である、項目４８に記載の気圧制御システム。
（項目５０）
上記システム入口における気圧および上記システム出口における気圧を監視するように構成される差動気圧トランスデューサをさらに備えている、項目４８に記載の気圧制御システム。
（項目５１）
閉ループコントローラと連絡し、セットポイント値を受信しかつ該セットポイント値に基づき上記ファンの速度または方向を変化させるように構成される制御パネルをさらに備えている、項目４８に記載の気圧制御システム。
（項目５２）
上記制御パネルは、正の室内気圧と負の室内気圧とを選択するように構成されるスイッチを含む、項目５１に記載の気圧制御システム。
（項目５３）
上記閉ループコントローラは、
上記差動圧力トランスデューサからの出力と上記セットポイント値とを比較し、該差動気圧トランスデューサ出力と該セットポイント値との差に基づき、上記ファンの速度または方向を調整するように構成されるマイクロプロセッサを含む、項目５１に記載の気圧制御システム。
（項目５４）
上記マイクロプロセッサと連絡し、上記気圧制御システムが上記セットポイント値において動作していないとき、警報を発するように構成される安全センサをさらに備えている、項目５３に記載の気圧制御システム。
（項目５５）
上記気流経路は、上記システム入口およびシステム出口を介したＵＶ反射を防ぐために黒くされる、項目４８に記載の気圧制御システム。
（項目５６）
上記殺菌放射チャンバの少なくとも一つの端部に位置するバフルをさらに備え、該バフルは、ＵＶが該殺菌放射チャンバから出ることを防ぐように構成される、項目４８に記載の気圧制御システム。
（項目５７）
上記ＵＶ光は、約２５３．７ナノメートルの波長を有する、項目４８に記載の気圧制御システム。
（項目５８）
上記差動気圧トランスデューサは、熱線風速計である、項目４８に記載の気圧制御システム。
（項目５９）
上記気圧制御システムは、ウィンドゥスルー取付け用に構成される、項目４８に記載の気圧制御システム。
（項目６０）
気圧制御システムであって、該システムは、
システム入口と、
システム出口と、
外部と密閉空間との間で空気を移動させる手段と、
該システム入口と該システム出口との間の気圧差を監視するように構成される差動気圧トランスデューサと、
該空気を移動させる手段および該差動気圧トランスデューサと連絡する閉ループコントローラであって、該閉ループコントローラは、該システムの入口と出口との間の圧力差に基づき該空気が移動させられる速度を変動させ、それによって該密閉空間内の圧力を制御するように構成される、閉ループコントローラと
を備えている、システム。
（項目６１）
上記空気を移動させる手段は可逆性である、項目６０に記載の気圧制御システム。
（項目６２）
上記閉ループコントローラと連絡し、セットポイント値を受信しかつ該セットポイント値に基づき上記空気を移動させる手段の速度または方向を変化させるように構成される制御パネルをさらに備えている、項目６０に記載の気圧制御システム。
（項目６３）
上記制御パネルは、正の密閉空間気圧と負の密閉空間気圧とを選択するように構成されるスイッチを含む、項目６２に記載の気圧制御システム。
（項目６４）
上記閉ループコントローラは、
上記差動気圧トランスデューサからの出力と上記セットポイント値とを比較し、該差動気圧トランスデューサ出力と該セットポイント値との差に基づき、上記空気を移動させる手段の速度または方向を調整するように構成されるマイクロプロセッサを含む、項目６２に記載の気圧制御システム。
（項目６５）
上記マイクロプロセッサと連絡し、上記気圧制御システムが上記セットポイント値において動作していないとき、警報を発するように構成される安全センサをさらに備えている、項目６４に記載の気圧制御システム。
（項目６６）
上記気圧制御システムにおける上記気流経路内に位置する殺菌放射チャンバをさらに備え、該殺菌放射チャンバは、少なくとも１つのＵＶ光源を含む、項目６２に記載の気圧制御システム。
（項目６７）
上記殺菌放射チャンバは、上記ＵＶ光源によって生成されるＵＶ光を反射するように構成される反射内部表面をさらに含む、項目６６に記載の気圧制御システム。
（項目６８）
上記気流経路は、上記システム入口およびシステム出口を介したＵＶ反射を防ぐために黒くされる、項目６６に記載の気圧制御システム。
（項目６９）
上記殺菌放射チャンバの少なくとも一つの端部に位置するバフルをさらに備え、該バフルは、ＵＶが該殺菌放射チャンバから出ることを防ぐように構成される、項目６６に記載の気圧制御システム。
（項目７０）
上記ＵＶ光は、約２５３．７ナノメートルの波長を有する、項目６６に記載の気圧制御システム。
（項目７１）
上記差動気圧トランスデューサは、熱線風速計である、項目６０に記載の気圧制御システム。
（項目７２）
上記気圧制御システムは、ウィンドゥスルー取付け用に構成される、項目６０に記載の気圧制御システム。
（項目７３）
気圧制御システムであって、該システムは、
第１の空気経路入口および第１の空気経路出口を含む第１の一定方向の空気経路と、
第２の空気経路入口および第２の空気経路出口を含む第２の一定方向の空気経路と、
該第１の一定方向の空気経路内に位置し、ある速度で動作するように構成される、可変速度ファンと、
該可変速度ファンと連絡し、該可変速度ファンの速度を制御するように構成される、モータコントローラと、
該第２の一定方向の空気経路内に位置し、該第２の空気経路入口と該第２の空気経路出口との間の気圧差を監視するように構成される、差動気圧トランスデューサと、
該モータコントローラおよび該差動気圧トランスデューサと連絡する閉ループコントローラであって、該閉ループコントローラは、該第２の空気経路入口における気圧と該第２の空気経路出口における気圧との間の圧力差に基づき該ファンの速度を変動させことによって、空間における圧力を維持するように構成される、閉ループコントローラと
を備えている、システム。
（項目７４）
上記ファンは可逆性である、項目７３に記載の気圧制御システム。
（項目７５）
上記閉ループコントローラと連絡し、セットポイント値を受信しかつ該セットポイント値に基づき上記ファンの速度または方向を変化させるように構成される制御パネルをさらに備えている、項目７３に記載の気圧制御システム。
（項目７６）
上記制御パネルは、正の密閉空間気圧と負の密閉空間気圧とを選択するように構成されるスイッチを含む、項目７５に記載の気圧制御システム。
（項目７７）
上記閉ループコントローラは、
上記差動気圧トランスデューサからの出力と上記セットポイント値とを比較し、該差動気圧トランスデューサ出力と該セットポイント値との差に基づき、上記ファンの速度または方向を調整するように構成されるマイクロプロセッサを含む、項目７５に記載の気圧制御システム。
（項目７８）
上記マイクロプロセッサと連絡し、上記気圧制御システムが上記セットポイント値において動作していないとき、警報を発するように構成される安全センサをさらに備えている、項目７７に記載の気圧制御システム。
（項目７９）
上記気圧制御システムにおける上記第１の気流経路内に位置する殺菌放射チャンバをさらに備え、該殺菌放射チャンバは、少なくとも１つのＵＶ光源を含む、項目７３に記載の気圧制御システム。
（項目８０）
上記殺菌放射チャンバは、上記ＵＶ光源によって生成されるＵＶ光を反射するように構成される反射内部表面をさらに含む、項目７９に記載の気圧制御システム。
（項目８１）
上記第１の気流経路は、上記システム入口およびシステム出口を介したＵＶ反射を防ぐために黒くされる、項目７９に記載の気圧制御システム。
（項目８２）
上記殺菌放射チャンバの少なくとも一つの端部に位置するバフルをさらに備え、該バフルは、ＵＶが該殺菌放射チャンバから出ることを防ぐように構成される、項目７９に記載の気圧制御システム。
（項目８３）
上記ＵＶ光は、約２５３．７ナノメートルの波長を有する、項目７９に記載の気圧制御システム。
（項目８４）
上記差動気圧トランスデューサは、熱線風速計である、項目７３に記載の気圧制御システム。
（項目８５）
上記気圧制御システムは、ウィンドゥスルー取付け用に構成される、項目７３に記載の気圧制御システム。
（項目８６）
上記第１の一定方向の空気経路および上記第２の一定方向の空気経路は、可逆性である、項目７３に記載の気圧制御システム。
【図面の簡単な説明】
【００２３】
【図１】図１は、本発明の実施形態に従った気圧制御システムを示す。
【図２】図２は、図１に示されるシステムの気流図を示す。
【図３】図３は、図１に示されるシステムの論理図を示す
【図４】図４は、本発明の実施形態に従った、例示的殺菌放射チャンバおよび電気シャシーを示す。
【図５】図５は、本発明の実施形態に従った、図４の例示的殺菌放射チャンバを示す。
【図６】図６は、本発明の実施形態に従った、チャンバカバーおよびＵＶＣセンサを有する図４の殺菌放射チャンバを示す。
【図７】図７は、本発明の実施形態に従った、図４の殺菌放射チャンバの内部を示す。
【図８】図８は、本発明の実施形態に従った、図４の電気シャシーの内部を示す。
【図９】図９は、本発明の実施形態に従った、図４に示される例示的電気シャシーの内部の別の図を示す。
【図１０】図１０は、気圧制御システムの実施形態に従った、プレフィルタを有するファンアセンブリを示す。
【図１１】図１１は、本発明の実施形態に従った、例示的制御パネルを示す。
【図１２】図１２は、本発明の実施形態に従った、露出した要素に対する絶縁を有する例示的な外板を示す。
【発明を実施するための形態】
【００２４】
（特定の実施形態の詳細な説明）
図１は、本発明の実施形態に従った気圧隔離システム１１０を示す。システム１１０は、ウィンドゥスルーの「プラグアンドプレイ」タイプのシステムであり得る。そういうものとして、システム１１０は、システム１１０を窓１２０の中に設置し、電源コード１６０を標準の壁コンセントに差し込むことによって、密閉空間１８０を隔離室または封じ込め室に変え得る。システム１１０の内部に面する側は、それが密閉空間１８０の美的感覚に否定的に影響を与えないように、スタイリッシュなデザインを有し得る。システム１１０の外部に面する側は、環境に曝されるのに適したデザインを有し得る。
【００２５】
隔離構成において、可変速度ファン１３０は、密閉空間１８０の中に清浄な空気を強制的に入れ、結果として密閉空間１８０内に正の圧力が生ずる。手術場所およびクリーンルームに調和する一定の正の圧力を生成するために、システム１１０は、窓および扉の周りの隙間を通って室から出る気流と調和させるために、ファンの速度を変動させることによって、室内への気流を制御し得る。封じ込め構成において、可変速度ファン１３０は密閉空間１８０から空気を強制的に出し、結果として負の室圧が生じる。どちらの方向においても、密閉気流経路内に位置する殺菌放射チャンバ１４０は、空気がシステム１１０を通過するときに、空気を清浄化する。システム１１０が窓に取り付けられない場合、ユーザは、殺菌放射チャンバ１４０からの空気経路に延長部を追加し、外部の環境に達するようにする。
【００２６】
一部の実施形態において、システム１１０は複数の可変速度ファンを含み得る。２つ以上の可変速度ファンが存在する場合は、ファンは、複数の方向に空気を押し進めるように動作し得る。
【００２７】
図２に示されるように、殺菌放射チャンバ１４０は紫外線ランプ２１０を含み得る。紫外線ランプ２１０は、約２５３．７ナノメートルの波長で放射し得る。２５３．７ナノメートルの波長での放射は、生きていてかつ休眠の微生物に対して最大量の損傷を与えることが証明されている。例えば、２５３．７ナノメートルの波長における、インフルエンザに対するＵＶテストは、９０％の殺菌率で、残りの１０％に対して（無力化するほど十分な）厳しい損傷を与えたことを示す。殺菌放射チャンバ１４０の標的は、ウィルス、バクテリア、菌類、かび、および胞子を含むがこれらに限定されない。例示として２５３．７ナノメートルの波長が用いられるが、ＵＶ波長は、任意の種の微生物に対する損傷を最大にするように調整され得る。
【００２８】
放射チャンバ１４０はまた、ＵＶランプ２１０へのアクセスを提供し得、その結果、必要に応じてユーザがＵＶランプ２１０を交換し得る。ユーザは、殺菌放射チャンバ１４０の外部からＵＶランプ２１０を取り付け得、その結果、ユーザはチャンバ１４０を分解する必要がない。ＵＶランプ２１０へのアクセスは、動作時ユーザがＵＶランプ２１０へのアクセスすることを防ぐためにシステム１１０を止めるキルスイッチ（ｋｉｌｌ  ｓｗｉｔｃｈ）を含み得る。あるいは、殺菌放射チャンバ１４０は、ユーザが離れた場所において完全に取り外しかつ交換し得るカートリッジ設計であり得る。ＵＶランプ２１０は、様々な波長を有し、空気で運ばれる粒子または微生物の種々のタイプを標的にする複数のランプを含み得る。
【００２９】
上記のように、殺菌放射チャンバ１４０は取り外し可能であり得る。取り外し可能な放射チャンバ１４０を含む実施形態において、システムはまた、放射チャンバ１４０に電気的に接続されたインタロックスイッチを含み得る。インタロックスイッチは、放射チャンバ１４０が正しく取付けられたことを検証し、間違った取り付けの場合、システム１１０への主電源を遮断し得る。
【００３０】
ＵＶ光を用いて微生物を破滅および無力化することは、微生物が曝されるＵＶ光量および露出時間に依存する。露出量を増加させるために、殺菌放射チャンバ１４０の内側面は、反射コーティング２３０を含み得る。反射コーティング２３０は、チャンバ内でＵＶ光を反射し、より多くの量のＵＶ光に微生物を曝し、従って微生物の殺菌および無力化率を増加させる。露出時間は、殺菌放射チャンバ１４０内で気流を遅くすることによって増加され得る。チャンバ１４０を通る層状の気流は、滞留時間および露出がチャンバ１４０全体にわたって均一でありかつ等しいことを確実にし得る。露出時間および滞留時間をさらに増加させるために、チャンバ１４０は、システム１１０の全体サイズの制限内でできるだけ大きくあるべきである。気流におけるデッドスポットは最小限にされるべきである。
【００３１】
ＵＶ光は、危険であり、殺菌放射チャンバ１４０およびシステム１１０内に含められるべきである。ＵＶ光がもれるのを防ぐために、殺菌放射チャンバ１４０は一方の端部または両方の端部にバフル２２０を含み得る。システム１１０の気流経路は、システム入口またはシステム出口を介するＵＶ反射を防ぐために、黒くされ得る。
【００３２】
差動気圧トランスデューサ１５０は、システム１１０の入口および出口における気圧を測定し得る。差動気圧トランスデューサ１５０は、密閉空間空気ポート２７０を介して内部空気の気圧をサンプリングしかつ測定し得、外部空気ポート２８０を介して外部気圧を測定し得る。システム１１０は、差動気圧トランスデューサ１５０と空気ポート２７０、２８０との間の圧力漏れのない接続を含み得る。外部空気ポート２８０は、酷寒の天候および虫などの他の変化要素による封鎖を防ぐための設備を含み得る。システム１１０が窓に取り付けられない場合、外部空気ポート２８０は、外部環境に達するための延長部を含み得る。一部の実施形態において、差動気圧センサ１５０は、熱線風速計または固体風速計であり得る。他の実施形態において、トランスデューサ１５０は、第２の気流経路２６０に位置され得る。第２の気流経路２６０は第１の気流経路２５０から離れかつ別個であり得、第１の気流経路２５０は殺菌放射チャンバ１４０を含む。
【００３３】
図３に示されるように、システム１１０は閉ループコントローラ３２０を含み得る。閉ループコントローラ３２０は、差動気圧トランスデューサ１５０およびモータコントローラ３１０に接続され得る。閉ループコントローラ３２０は、システム入口とシステム出口との間の圧力差を監視し、該圧力差に基づきモータコントローラ３１０によってファン１３０の速度を調整し得る。モータコントローラ３１０によってファン１３０の速度を制御することによって、閉ループコントローラ３２０は密閉空間１８０内の圧力を制御することが可能である。モータコントローラ３１０は、すべての電圧および周期において動作し、電圧選択可能スイッチを有し得る。複数のファンを含む実施形態において、モータコントローラ３１０は、各ユニットに対する異なるコントローラ電力状態を有し得る。
【００３４】
起動時、閉ループコントローラ３２０は、最悪の事態を予期し、ファン１３０を全速力にさせるように構成され得る。システム１１０への電力中断に応答して、閉ループコントローラ３２０は、規定の遮断および起動のプロセスを提供し得る。
【００３５】
閉ループコントローラ３２０は、マイクロプロセッサ３６０を含み得る。マイクロプロセッサ３６０は、差動気圧トランスデューサ１５０の出力と（以下で論議される）制御パネル３３０によりユーザによって入力されたセットポイントとを比較し得る。マイクロプロセッサ３６０は次いで、ファン１３０の速度を調整し、密閉空間１８０内の圧力をセットポイント値に維持し得る。システム１１０がセットポイント条件からはずれて動作しているとき、閉ループコントローラ３２０は警報をトリガし得る。
【００３６】
閉ループコントローラ３２０はまた、ドア１７０（図１）が開いたときを認識する能力のある第２の制御帯を含み得る。制御ループコントローラ３２０は次いで、ファン１３０を全速力にさせ、次いでセットポイントにおいて密閉させることによって、そのような状態に応答し得る。密閉ループコントローラ３２０はまた、不感帯を設定し、ファン１３０がハンチングするのを防ぎ得る。
【００３７】
他の実施形態において、閉ループコントローラ３２０は、ＵＶ光の存在を確認し、システム１１０を介する気流に基づき、ＵＶ放射の強度を制御し得る。閉ループコントローラ３２０は、最大放射にするためにすべてのＵＶランプ２１０をオンにするか、または１度に１つのＵＶランプをオンにし放射レベルの階段関数を実行することによって、ＵＶ放射の強度を制御し得る。閉ループコントローラ３２０はまた、ＵＶランプが故障しているかどうかを認識し、機能するランプに電力を切り替え得る。
【００３８】
本発明の一部の実施形態において、閉ループコントローラは、ソフトウェアポート（図示されていない）を含み得る。ソフトウェアポートは、ユーザが新しいソフトウェアの改訂版をダウンロードし、システム１１０の個々の機能を試験することを可能にする。
【００３９】
さらなる実施形態において、システム１１０は制御パネル３３０を含み得る。ユーザは、セットポイント値を制御パネル３３０に入力し得る。制御パネル３３０はまた、スイッチ（図示されていない）を含み、ユーザが正の室内圧力または負の室内圧力のいずれかを選ぶことを可能にし得る。スイッチは、機械的スイッチ、キーパッド、またはキーパッドマルチプルディジタルコード（ｋｅｙ  ｐａｄ  ｍｕｌｔｉｐｌｅ  ｄｉｇｉｔａｌ  ｃｏｄｅ）のいずれかであり得る。複数のファンを含む実施形態において、制御パネル３３０は、ユーザがファンのうちの１つを選択し、異なる方向に動かすことを可能にし得る。制御パネル３３０の他の機能は、制御システムの１つまたはすべての機能を診断すること、およびＵＶランプ２１０の交換などのルーチンサービスが必要であるときを表示することを含むが、これらに限定されない。制御パネル３３０は、複数の言語で利用可能であり得る。
【００４０】
本発明の他の実施形態に従って、システム１１０はまた、安全センサ３４０を含み得る。安全センサ３４０は、可聴警報または可視警報を含み得る。安全センサ３４０および関係する警報は、マイクロプロセッサ３６０および閉ループコントローラ３２０と連絡し得る。閉ループコントローラ３２０から信号を受信後、安全センサ３４０は、システム１１０がセットポイント値において動作していない場合またはシステム構成要素が機能していないとき、警報をトリガし得る。
【００４１】
汎用電源３５０は、システム１１０に電力を供給する。電源３５０は、ＧＳＩおよびブレーカリセットを含み得、標準の壁のソケットに差し込まれ得る。
【００４２】
本発明の別の実施形態において、システム１１０は、フィルタレスのシステムである。フィルタレスの実施形態において、ＵＶ光は、微生物が殺菌放射チャンバ１４０を通過すると、それら微生物を殺菌または無力化する。
【００４３】
図４に示されるように、殺菌放射チャンバ１４０は、電気シャシー４０５内に含められ得る。そのような実施形態において、ユーザは基本的に、殺菌放射チャンバ１４０を電気シャシー４０５の中に滑り込ませ、完成したシステム１１０を作る。より詳細に以下で論議されるように、電気シャシー４０５は、システム１１０の電気的および機械的な構成要素のうちの多くのものを収納する。
【００４４】
なおも他の実施形態においてかつ図４および図５に示されるように、システム１１０は、殺菌放射チャンバ１４０の一方の端部または両方の端部に位置するＨＥＰＡフィルタ４１０を含み得る。一部の実施形態において、フィルタ４１０は、ファン９１０に対して殺菌放射チャンバ１４０の反対の端部に位置し得る（図９を参照されたい）。フィルタ取り付けおよび交換を容易にするため、殺菌放射チャンバ１４０は、フィルタ４１０にアクセスすることを可能にするスロットを含み得る。フィルタ４１０およびさらに２つのセンサ（より詳細に以下で論議されるように、ＵＶＣチャンバにおける気流センサおよびＵＶＣチャンバにおけるＵＶＣレベルセンサ）により、システム１１０は、ポータブルの空気清浄機および空気殺菌装置ならびに室隔離コントローラおよび室封じ込めコントローラとなる。
【００４５】
好ましい実施形態において、フィルタ４１０は、半透明のファイバグラスＨＥＰＡフィルタであるべきである。半透明のフィルタは、ＵＶ放射がフィルタを通過することを可能にし、ウィルスが殺菌放射チャンバ１４０を通って移動しかつフィルタ４１０を通過すると、ＵＶＣ放射がウィルスを殺菌することを可能にする。一部の実施形態において、フィルタは、フィルタの有効表面積を増加させるために、プリーツ加工され得る。プリーツが垂直であり、ＵＶランプ２１０の軸がフィルタプリーツ軸に対して横断するように、プリーツ加工されたフィルタは向けられ得る。好ましい実施形態において、ＵＶランプ２１０は共面（ｃｏ−ｐｌａｎａｒ）である。
【００４６】
ＨＥＰＡフィルタ４１０は、より大きな汚染物を高強度のＵＶＣランプ２１０による連続的放射に曝し、より大きな汚染物を捕捉する。そのようにすることによって、フィルタ４１０は、室隔離および封じ込めに必要である管理可能なシステムサイズおよび流量を維持しながら、（殺菌のためにより多い量または放射を必要とする）より大きな微粒子の破滅を可能にする。ＵＶＣ放射は、ほとんどの有機微粒子をＨＥＰＡフィルタ４１０から分離し、自己洗浄性フィルタを作る。
【００４７】
フィルタ４１０およびフィルタフレーム４１５（図７）は、耐ＵＶＣ放射の材料から構成されるべきである。例えば、フィルタ４１０は半透明のファイバグラスであり得、フィルタフレーム４１５は金属であり得る。
【００４８】
殺菌放射チャンバ１４０への入口はまた、ＵＶＣ光バフルおよびフローストレイテナー（ｆｌｏｗ  ｓｔｒａｉｇｈｔｅｎｅｒ）４２０を含み得る。上記されるように、ＵＶＣ光バフルは、ＵＶ光が殺菌放射チャンバ１４０から出ることを防ぐ。名前が示唆するように、フローストレイテナーは、システムを通る気流をまっすぐにし、殺菌放射チャンバ１４０内の乱れを減少させるために用いられ得る。
【００４９】
図６に示されるように、殺菌放射チャンバ１４０は、殺菌放射チャンバ１４０を入れるカバー６２０を有し得る。さらに本発明の一部の実施形態はまた、殺菌放射チャンバ１４０内に位置するＵＶレベルセンサ６１０を有し得る。ＵＶレベルセンサ６１０は、気流の中または気流の端にあり得る。ＵＶレベルセンサ６１０は、マイクロプロセッサに信号を送信し得、該マイクロプロセッサは、ＵＶレベルセンサ信号に基づき、ファン速度またはインジケータの光を制御し得る。
【００５０】
図７に示されるように、システム１１０はまた、殺菌放射チャンバ１４０内に位置し（例えば、チャンバの内壁に取り付けられる）、マイクロプロセッサに接続される気流センサ７１０を含み得る。好ましい実施形態において、気流センサ７１０は、固体センサでありかつ気流と共面であるべきである。さらに、気流センサ７１０は、ＵＶ放射から遮蔽され、気流センサ７１０に対する損傷を防ぐべきである。気流センサ７１０は、システムを通る気流を示す信号をマイクロプロセッサに送信し得る。マイクロプロセッサは次いで、この信号を用いてファン速度を修正するかまたはインジケータの光（例えば、警報）を制御し得る。一部の実施形態において、気流センサ７１０は、温度補償され得る。
【００５１】
上記のコンポーネントに加えて、電気シャシー４０５はまた、ＵＶＣ電源８１０およびファン電源８２０を収容し得る。電気シャシー４０５はまた、差動気圧センサ１５０を収容し得る。気流センサ７１０と同様な方法で、差動気圧センサ１５０は、温度補償され得る。
【００５２】
図９に示されるように、システムの保管ならびに、ごみ、ほこり、および他の物体がシステム１１０内にたまるのを防ぐために、システム１１０はまた、システムが使用されないとき、気流を密閉するカバー１０１０を有し得る。カバー１０１０は、例えば、絶縁材料から作られるスライド（ｓｌｉｄｅ）またはフラップ（ｆｌａｐ）であり得る。一部の実施形態において、システムは、カバー１０１０に電気的に接続されカバー１０１０の位置（例えば、カバーが開いているかまたは閉じているか）を感知するカバーインタロックスイッチ１０２０を含む。カバーインタロックスイッチ１０２０はまた、マイクロプロセッサに電気的に接続され得、その結果、マイクロプロセッサは、カバー１０１０が閉じているときシステムの動作を妨げる。
【００５３】
一部の実施形態において、ケーブル１０３０は、カバー１０１０を起動させる（例えば、開閉する）ために用いられ得る。ケーブル１０３０の位置は、システムに対するオン−オフスイッチとして働き得る。例えば、ケーブル位置が開いたカバーに対応するとき、システムはオンである。逆に、ケーブル位置が閉じたカバーに対応するとき、システムはオフである。カバー１０１０自体のように、ケーブル１０３０は、ケーブルインタロックスイッチ１０５０（図１０）に電気的に接続され、ケーブル１０３０の位置を感知し得る。ユーザは、システム制御パネル３３０（図１１）に位置するノブ１０４０を用いてケーブル１０３０の位置（例えば、開放および密閉）を調整し得る。
【００５４】
図１０に示されるように、システムは、電気シャシー４０５に取り付けられたファンアセンブリ１０２５を有し得る。ファンアセンブリは、システムを通る気流を作る任意の数のファン（図１０は３つのファンを示す）を有し得る。上記のように、ファン速度は、多数の基準（圧力差、セットポイント、およびＵＶ光量を含むが、これらに限定されない）に基づき制御され得る。ファンアセンブリ１０２５は、ファンの各々をカバーするプレフィルタアセンブリ１０２７を有し得る。プレフィルタアセンブリ１０２７は、より大きな物体、ごみ、または小さな動物がシステム１１０に入るのを防ぐ。
【００５５】
一部の実施形態において、外部要素に曝されるシステム１１０の部分は、絶縁体１２０５を有し得る（図１２）。さらに、外板１２１０は、ウィンドゥスルー取り付けにおいてより良い適合を提供する拡張可能なフレーム（図示されていない）を受け得る。拡張可能なフレームは、システムが取り付けられる窓のサイズに拡張し得る。拡張可能なフレームは、窓敷居、窓フレームおよびシステム外板に対して密閉するための柔らかいガスケットを含み得る。
【００５６】
本発明の様々な例示的実施形態が開示されたが、本発明の真の範囲から逸脱することなく、本発明の利点の一部を達成する様々な変更および修正がなされ得ることは当業者に明らかである。これらおよび他の明白な修正は、添付の特許請求の範囲によってカバーされることが意図される。
【図１】
2014138869.tif 000003
【図２】
2014138869.tif 000004
【図３】
2014138869.tif 000005
【図４】
2014138869.tif 000006
【図６】
2014138869.tif 000007
【図７】
2014138869.tif 000008
【図８】
2014138869.tif 000009
【図９】
2014138869.tif 000010
【図１０】
2014138869.tif 000011
【図１１】
2014138869.tif 000012
【図１２】
2014138869.tif 000013
【図５】
2014138869.tif 000014
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
気圧制御システムであって、前記システムは、
システム入口と、
システム出口と、
ある速度で動作するように構成されている可変速度ファンと、
前記ファンと連絡し、前記ファンの速度を制御するように構成されているモータコントローラと、
前記システム入口と前記システム出口との間の気圧差を監視するように構成されている差動気圧トランスデューサと、
前記モータコントローラおよび前記差動気圧トランスデューサと連絡する閉ループコントローラであって、前記閉ループコントローラは、前記システムの入口と出口との間の圧力差に基づき前記ファンの速度を変動させ、これにより、空間内の圧力を制御するように構成されている、閉ループコントローラと、
前記閉ループコントローラと連絡し、セットポイント値を受信するように構成されているインターフェースであって、前記閉ループコントローラは、前記空間内の条件の変化の際に前記ファンを全速力にさせ、その後、前記閉ループコントローラは、前記速度を低減することにより、前記セットポイント値を取得する、インターフェースと
を含む、気圧制御システム。
【請求項２】
前記閉ループコントローラは、
前記差動気圧トランスデューサからの出力と前記セットポイント値とを比較し、前記差動気圧トランスデューサ出力と前記セットポイント値との差に基づき、前記ファンの速度を調整するように構成されているマイクロプロセッサを含む、請求項１に記載の気圧制御システム。
【請求項３】
前記マイクロプロセッサと連絡し、前記気圧制御システムが前記セットポイント値において動作していないとき、警報を発するように構成されている安全センサをさらに含む、請求項２に記載の気圧制御システム。
【請求項４】
前記気圧制御システムにおける気流経路内に位置する殺菌放射チャンバをさらに含み、前記殺菌放射チャンバは、少なくとも１つのＵＶ光源を含む、請求項２に記載の気圧制御システム。
【請求項５】
前記殺菌放射チャンバは、取り外し可能カートリッジである、請求項４に記載の気圧制御システム。
【請求項６】
前記マイクロプロセッサは、前記少なくとも１つのＵＶ光源の動作を制御する、請求項４に記載の気圧制御システム。
【請求項７】
前記殺菌放射チャンバの少なくとも１つの端部に位置する少なくとも１つのバフルをさらに含み、前記少なくとも１つのバフルは、ＵＶ光が前記殺菌放射チャンバから出ることを防ぐように構成されている、請求項４に記載の気圧制御システム。
【請求項８】
前記システムは、前記殺菌放射チャンバ内に位置する気流センサをさらに含む、請求項４に記載の気圧制御システム。
【請求項９】
前記気流センサは、固体センサである、請求項８に記載の気圧制御システム。
【請求項１０】
前記気流センサは、前記マイクロプロセッサが前記気流センサによって送信される信号に基づいて前記ファン速度を制御し得るように、前記マイクロプロセッサと連絡する、請求項８に記載の気圧制御システム。
【請求項１１】
前記システムは、前記殺菌放射チャンバ内に位置し、ＵＶ放射の量を測定するように構成されているＵＶセンサをさらに含む、請求項４に記載の気圧制御システム。
【請求項１２】
前記ＵＶセンサは、前記マイクロプロセッサが前記ＵＶセンサによって送信される信号に基づいて前記ファン速度を制御し得るように、前記マイクロプロセッサと連絡する、請求項１１に記載の気圧制御システム。
【請求項１３】
前記差動気圧トランスデューサは、風速計である、請求項４に記載の気圧制御システム。
【請求項１４】
前記気流内に位置する第１のフィルタをさらに含む、請求項４に記載の気圧制御システム。
【請求項１５】
前記システムは、前記システムが使用されないとき前記システム入口を閉じるように構成されている密閉および開放位置を有し、それによって前記システムを通る気流を防ぐカバーをさらに含む、請求項１に記載の気圧制御システム。
【請求項１６】
前記システムは、前記カバーに接続され、前記カバーの位置を感知しかつ前記カバーが前記密閉位置にある場合にシステムの動作を妨げるように構成されているインタロックスイッチをさらに含む、請求項１５に記載の気圧制御システム。
【請求項１７】
前記閉ループコントローラは、前記システムに新しいソフトウェアをダウンロードするためのソフトウェアポートを含む、請求項１に記載の気圧制御システム。
【請求項１８】
気圧制御システムであって、前記システムは、
システム入口と、
システム出口と、
ある速度で動作するように構成されている可変速度ファンと、
前記ファンと連絡し、前記ファンの速度を制御するように構成されているモータコントローラと、
前記システム入口と前記システム出口との間の気圧差を監視するように構成されている固体風速計と、
前記モータコントローラおよび前記固体風速計と連絡する閉ループコントローラであって、前記閉ループコントローラは、前記システムの入口と出口との間の圧力差に基づき前記ファンの速度を変動させ、これにより、空間内の圧力を制御するように構成されており、前記閉ループコントローラは、前記空間内の条件の変化の際に前記ファンを全速力にさせ、その後、前記閉ループコントローラは、前記速度を低減することにより、セットポイント値を取得する、閉ループコントローラと
を含む、気圧制御システム。
【請求項１９】
前記閉ループコントローラは、
前記固体風速計からの出力と前記セットポイント値とを比較し、前記固体風速計の出力と前記セットポイント値との差に基づき、前記ファンの速度を調整するように構成されているマイクロプロセッサを含む、請求項１８に記載の気圧制御システム。
【請求項２０】
前記マイクロプロセッサと連絡する安全センサをさらに含み、前記マイクロプロセッサは、前記気圧制御システムが前記セットポイント値において動作していないとき、警報を発するように構成されている、請求項１９に記載の気圧制御システム。
【請求項２１】
前記気圧制御システムにおける気流経路内に位置する殺菌放射チャンバをさらに含み、前記殺菌放射チャンバは、少なくとも１つのＵＶ光源を含む、請求項１９に記載の気圧制御システム。
【請求項２２】
前記マイクロプロセッサは、前記少なくとも１つのＵＶ光源の動作を制御する、請求項２１に記載の気圧制御システム。
【請求項２３】
前記殺菌放射チャンバの少なくとも１つの端部に位置する少なくとも１つのバフルをさらに含み、前記少なくとも１つのバフルは、ＵＶ光が前記殺菌放射チャンバから出ることを防ぐように構成されている、請求項２１に記載の気圧制御システム。
【請求項２４】
前記少なくとも１つのバフルのエッジの少なくとも一部分は、前記殺菌放射チャンバと接触する、請求項２３に記載の気圧制御システム。
【請求項２５】
前記システムは、前記殺菌放射チャンバ内に位置する気流センサをさらに含む、請求項２１に記載の気圧制御システム。
【請求項２６】
前記気流センサは、固体センサである、請求項２５に記載の気圧制御システム。
【請求項２７】
前記気流センサは、前記マイクロプロセッサが前記気流センサによって送信される信号に基づいて前記ファン速度を制御し得るように、前記マイクロプロセッサと連絡する、請求項２５に記載の気圧制御システム。
【請求項２８】
前記システムは、前記殺菌放射チャンバ内に位置し、ＵＶ放射の量を測定するように構成されているＵＶセンサをさらに含む、請求項２１に記載の気圧制御システム。
【請求項２９】
前記ＵＶセンサは、前記気流経路内に位置する、請求項２８に記載の気圧制御システム。
【請求項３０】
前記ＵＶセンサは、前記マイクロプロセッサが前記ＵＶセンサによって送信される信号に基づいて前記ファン速度を制御し得るように、前記マイクロプロセッサと連絡する、請求項２８に記載の気圧制御システム。
【請求項３１】
前記気流内に位置する第１のフィルタをさらに含む、請求項２１に記載の気圧制御システム。
【請求項３２】
前記システムは、前記システムが使用されないとき前記システム入口を閉じるように構成されている密閉および開放位置を有し、それによって前記システムを通る気流を防ぐカバーをさらに含む、請求項１８に記載の気圧制御システム。
【請求項３３】
前記システムは、前記カバーに接続され、前記カバーの位置を感知しかつ前記カバーが前記密閉位置にある場合にシステムの動作を妨げるように構成されているインタロックスイッチをさらに含む、請求項３２に記載の気圧制御システム。
【請求項３４】
前記システムは、前記気圧制御システムにおける気流経路内に位置する殺菌放射チャンバをさらに含み、前記殺菌放射チャンバは、少なくとも１つのＵＶ光源を含み、前記インタロックスイッチは、マイクロプロセッサに接続されている、請求項３３に記載の気圧制御システム。